(57)【要約】【課題】壁面に掲示物を思い通りに位置ずれのないよう精度よく固定できる壁面等への掲示物取付具を提供する。【解決手段】掲示物取付具１が、有頭ピン３の頭部３ａを収納する切欠き部６がに設けられ、一面側を掲示物２に接着固定する頭部収納部材４と、前記頭部収納部材４の他面側に重ねて固定され、前記切欠き部６の他面側を閉鎖する軸部保持プレート５とからなり、前記軸部保持プレート５の前記切欠き部６に臨む位置に、該軸部保持プレート５の下縁で開放して上方に延び、貫通させた軸部３ｂの上下方向への強制移動を許容できる軸部保持溝７を設け、この軸部保持溝７の上端の位置で有頭ピン３を保持するようにする。【選択図】図３
2018019759.tif 000002
【特許請求の範囲】
【請求項１】
有頭ピンの頭部を収納するための切欠き部が下縁で開放するように設けられ、一面側を掲示物に接着固定するようになっている頭部収納部材と、前記頭部収納部材の他面側に重ねて固定され、前記切欠き部の他面側を閉鎖する軸部保持プレートとからなり、前記軸部保持プレートの前記切欠き部に臨む部分で、この切欠き部の幅方向中央を通る上下中心線に沿う位置に、該軸部保持プレートの下縁で開放して上方に延び、貫通させた軸部の上下方向への強制移動を許容できる軸部保持溝を設け、この軸部保持溝の上端の位置で有頭ピンを保持するようになっている壁面への掲示物取付具。
【請求項２】
上記軸部保持プレートは、有頭ピンの軸部を軸部保持溝の両側縁部で弾力的に保持することのできる材料を用いて形成され、この軸部保持プレートに設けられた軸部保持溝の下端側における両側縁は、下部広がりに開放する傾斜縁になっている請求項1に記載の壁面への掲示物取付具。
【請求項３】
上記頭部収納部材の切欠き部は上端部が、有頭ピンの頭部外径が納まる半円形となり、上記軸部保持プレートに設けた軸部保持溝の上端が、前記切欠き部内の上端部に有頭ピンの頭部が納まる状態で軸部が当接する位置に設定されている請求項1又は２に記載の壁面
【請求項４】
上記頭部収納部材は、基材の両面に粘着剤層を設けた両面粘着テープを用いて形成され、一面側の粘着剤層が掲示物に対する接着固定手段となり、他面側の粘着剤層で基材に対して軸部保持プレートが接着固定されている請求項1乃至３の何れかに記載の壁面への掲示物取付具。
【発明の詳細な説明】
【技術分野】
【０００１】
この発明は、比較的脆い材質のボード等を用いて形成された壁面や板面に対して、写真やパンフレット、カレンダーのような掲示物を有頭ピンで固定する場合に用いる壁面等への掲示物取付具に関する。
【背景技術】
【０００２】
上記のような壁面や板面に掲示物を固定する場合、掲示物の表面から有頭ピンを直接突き刺して固定したり、粘着テープで貼り付ける方法は、これら取付手段が目に見えるために掲示状態が不体裁となり、掲示物にピン孔があいたり粘着材が付着する等の損傷を生じさせると共に、粘着テープは剥がすときに壁面の表面を傷める場合があり、このため、掲示物の固定に有頭ピンを用い、この固定部分を掲示物の裏面側に隠れるようにすることで、掲示状態の見た目の体裁を向上させると共に、掲示物や壁面の損傷発生を極力抑えることができる掲示物の取付具が提案されている。
【０００３】
有頭ピンを用いる従来の取付具は、掲示物を収納するケースの背面に接着固定する取付部材に、有頭ピンの頭部収納溝とこれよりも細幅の軸部通過溝を一方端部から長さ方向に沿って設けた構造を有し、前記頭部収納溝と軸部通過溝に有頭ピンを挿入することでその軸部をケースの後方に突出するようにし、この状態で掲示物を壁面に対面させ、掲示物の取付部材に該当する部分を表面側から押して有頭ピンの軸部を壁面に突き刺し、有頭ピンで掲示物の重量を支持することにより、壁面に対して掲示物を固定するようになっている（特許文献１参照）。
【０００４】
また、別の取付具は、有頭ピンの頭部が納まる頭部収納部を下縁で開放するように設けた第１の部材と、有頭ピンの軸部が余裕をもって通過するよう、この軸部の直径よりも広幅となる軸溝を、下部広がりとなって下縁で開放するように設けた第２の部材を接着固定し、前記第１の部材を掲示物の背面に貼り付け固定する構造を有している。
【０００５】
上記取付具を掲示物に固定した状態で、有頭ピンの頭部を頭部収納部に挿入しながら軸部を軸溝に納め、前記頭部収納部の上端において、有頭ピンを横移動させることにより、軸溝の上端側途中で一方側部に設けた支持用突部に軸部を係止し、これによって有頭ピンを取付具から落下しないようにすると共に、その軸部が掲示物の後方に突出するように保持し、この状態で掲示物を壁面に対面させ、掲示物の取付部に該当する部分を表面側から押し込むことで有頭ピンの軸部を壁面に突き刺し、この後、掲示物を少し下降させることで、頭部収納部の上端を頭部上に当接させるか、軸溝の上端を軸部上に当接させ、掲示物の重量を有頭ピンで支持することで、壁面に掲示物を固定するようになっている（特許文献２参照）。
【先行技術文献】
【特許文献】
【０００６】
【特許文献１】特開平９−５２４８５号公報
【特許文献２】特許第３０１７７２８号公報
【発明の概要】
【発明が解決しようとする課題】
【０００７】
ところで、特許文献１のような取付具は、有頭ピンを定位置に保持するための機能がなく、ケースに対して取付具を垂直の姿勢に固定すると、ケースを壁面に対面させたときに有頭ピンが取付具から落下するので、壁面への固定作業時に、取付具に対して有頭ピンを落下しないように保持しながら、有頭ピンの軸部を壁面へ差し込まなければならず、このため、壁面へのケース固定作業が行いにくいだけでなく、ケースの裏側において有頭ピンを手で保持しなければならないので、取付具に対する有頭ピンの位置決が不正確となり、壁面への固定後の有頭ピンに対してケースが下降し、掲示物は壁面の所望する掲示位置に対して位置ずれが発生するという問題がある。
【０００８】
また、上記取付具は、ケースに対して水平の姿勢に固定することも考えられるが、壁面に固定した有頭ピンに対して取付具は横移動可能となり、ケースは外部からの力が加わることで簡単に移動したり脱落することになり、掲示物を安定よく掲示することができないことになる。
【０００９】
次に、特許文献２のような取付具は、有頭ピンを壁面に突き刺し固定するとき、掲示物に固定した取付具の支持用突部で有頭ピンを落下しないように保持できるので、掲示物の裏側に手を入れる必要がなく、掲示物の表面側から有頭ピンを押し込めるので、固定作業が行いやすいという利点はある。
【００１０】
しかしながら、取付具の有頭ピンを支持する部分は、取付具への有頭ピンのセット時に、前記支持用突部に対して有頭ピンを横移動させて軸部を係止させると共に、壁面に突き刺した有頭ピンに対し、掲示物を下方に移動させて掲示物の重量を有頭ピンで支持させる構造になっているので、掲示物を壁面に対面させて最初に決めた所望配置位置で有頭ピンを押し込んで手を離すと、取付具と掲示物は有頭ピンに対して下降することになり、思い通りの位置に掲示物を精度よく固定するのが困難であるという問題がある。
【００１１】
また、壁面に有頭ピンを残した状態で掲示物を取り外す場合、第２の部材において、軸溝の上端側途中で一方側部に支持用突部が設けてあるので、掲示物を単純に押し上げて外そうとすると、支持用突部が有頭ピンの軸部に引っかかる場合があり、これを避けるために、掲示物を斜めに動かさなければならないという不便がある。
【００１２】
更に、掲示物の両側や上下の複数箇所を上記の取付具と有頭ピンで壁面に固定している場合、全有頭ピンに対して各取付具が同じ動きをするように掲示物を斜めに動かさなければならず、掲示物の取り外し作業が行いにくいという点で問題がある。
【００１３】
そこで、この発明の課題は、掲示物に対して有頭ピンを定位置に保持してそのまま壁面に差し込めるようにし、掲示物を思い通りに位置ずれのないよう精度よく固定できると共に、掲示物の取り外し作業が簡単に行える壁面等への掲示物取付具を提供することにある。
【課題を解決するための手段】
【００１４】
上記のような課題を解決するため、請求項1の発明は、有頭ピンの頭部を収納するための切欠き部が下縁で開放するように設けられ、一面側を掲示物に接着固定するようになっている頭部収納部材と、前記頭部収納部材の他面側に重ねて固定され、前記切欠き部の他面側を閉鎖する軸部保持プレートとからなり、前記軸部保持プレートの前記切欠き部に臨む部分で、この切欠き部の幅方向中央を通る上下中心線に沿う位置に、該軸部保持プレートの下縁で開放して上方に延び、貫通させた軸部の上下方向への強制移動を許容できる軸部保持溝を設け、この軸部保持溝の上端の位置で有頭ピンを保持するようになっている構成としたものである。
【００１５】
請求項２の発明は、請求項1の発明において、上記軸部保持プレートは、有頭ピンの軸部を軸部保持溝の両側縁部で弾力的に保持することのできる材料を用いて形成され、この軸部保持プレートに設けられた軸部保持溝の下端側における両側縁は、下部広がりに開放する傾斜縁になっているようにしたものである。
【００１６】
請求項３の発明は、請求項1又は２の発明において、上記頭部収納部材の切欠き部は上端部が、有頭ピンの頭部外径が納まる半円形となり、上記軸部保持プレートに設けた軸部保持溝の上端が、前記切欠き部内の上端部に有頭ピンの頭部が納まる状態で軸部が当接する位置に設定されているものである。
【００１７】
請求項４の発明は、請求項1乃至３の何れかの発明において、上記頭部収納部材は、基材の両面に粘着剤層を設けた両面粘着テープを用いて形成され、一面側の粘着剤層が掲示物に対する接着固定手段となり、他面側の粘着剤層で基材に対して軸部保持プレートが接着固定されているものである。
【００１８】
ここで、有頭ピンは、頭部が円形の平板になり、この頭部の一面側の中心に先鋭の軸部を固定した押しピンや画鋲を用い、上記頭部収納部材の形成に用いた両面粘着テープは、その基材が、有頭ピンの頭部外径よりも大きな平面的な大きさと、前記頭部と同じような厚みを有し、掲示物に接着固定する一面側の粘着剤層は離形紙によって保護されている。
【００１９】
また、軸部保持プレートは、合成樹脂やゴムのような薄板を用い、頭部収納部材と同じ大きさに形成したものを頭部収納部材の他面側に重ね、粘着剤層で基材に貼り付け固定することにより、切欠き部の他面側開放面を閉鎖している。
【００２０】
この軸部保持プレートに設けた軸部保持溝は、その溝幅が有頭ピンの軸部外径よりも少し狭く設定され、軸部が貫通る部分の両側縁部が押し広げられることで、軸部を上下に強制移動させたときに該プレートの持つ復元弾性によって抵抗を与え、軸部保持溝の上端に軸部が当接して納まる状態を保持することにより、有頭ピンを掲示物取付具から落下しないようにするものである。
【００２１】
なお、この軸部保持溝は、上記のような両側縁が平行するような構造に限るものではなく、上端部だけを軸部が弾力的に納まる狭窄部にしたり、溝の途中に屈曲部を設けるようにする等、軸部保持溝の上端位置に有頭ピンの軸部を保持することができるものであればよい。
【発明の効果】
【００２２】
請求項１の発明によると、頭部収納部材に有頭ピンの頭部を収納するための切欠き部を設け、前記頭部収納部材に重なって前記切欠き部の他面側を閉鎖する軸部保持部材に軸部保持溝を設け、この軸部保持溝の上端位置に有頭ピンを保持するようにしたので、掲示物の背面に対して有頭ピンを移動しないように取付けることができ、壁面に対して掲示物を位置合わせした位置でそのまま有頭ピンを押し込めば、押し込んだ位置で掲示物を支持でき、掲示物に上下や横方向の移動がないので、掲示物を位置合わせ位置に正確に固定することができる。
【００２３】
また、掲示物を壁面に固定するとき、掲示物を移動させる必要がないので、固定作業が行いやすいだけでなく、有頭ピンを壁面に残して掲示物を取り外す場合は、掲示物を単純に上方へ押すだけでよく、複数箇所が固定されている場合でも簡単に取り外しが行えることになる。
【００２４】
請求項２の発明によると、軸部保持溝の下端側における両側縁を下部広がりに開放することにより、有頭ピンの軸部を軸部保持溝に対して貫通させるとき、下部広がりの部分で軸部を軸部保持溝に誘導することができ、掲示物の背面に貼り付けた掲示物取付具に対する有頭ピンのセット作業が簡単に行える。
【００２５】
請求項３の発明によると、壁面に差し込んだ有頭ピンの頭部に頭部収納部材が載り、軸部に軸部保持プレートが載ることで、有頭ピンによる掲示物取付具の支持状態が安定することになる。
【００２６】
請求項４の発明によると、両面粘着テープの採用により、入手の容易な既存の材料を有効に利用でき、両面の粘着剤層を用いて掲示物取付具の組み立てと壁面への取付けが行えるという利点がある。
【図面の簡単な説明】
【００２７】
【図１】この発明に係る掲示物取付具を掲示物の背面で複数箇所の位置に貼り付け固定した状態を示す説明図
【図２】（ａ）はこの発明に係る掲示物取付具を示す軸部保持プレートの一部を切り欠いた拡大正面図、（ｂ）は同じく掲示物取付具を示す頭部収納部材の離形紙を一部切り欠いた拡大背面図
【図３】この発明に係る掲示物取付具を用い、壁面に掲示物を取付けた状態を示す拡大した縦断面図
【発明を実施するための形態】
【００２８】
以下、この発明の実施の形態を添付図面に基づいて説明する。
【００２９】
この発明の掲示物取付具１は、写真やパンフレット、カレンダーのような掲示物２を有頭ピン３で壁面ａ等に固定する場合に用いるものであり、前記有頭ピン３は、頭部３ａが円形の平板になり、この頭部３ａの一面側の中心に先鋭の軸部３ｂを突設した押しピンや画鋲を例示することができる。
【００３０】
図２と図３のように、上記掲示物取付具１は、一面側を掲示物２の背面に接着固定する頭部収納部材４と、前記頭部収納部材４の他面側に重ねて固定される軸部保持プレート５とからなり、前記頭部収納部材４は、有頭ピン３の頭部３ａにおける外径よりも大きな矩形状の平面的大きさと、前記頭部３ａと同等の厚みを有し、幅方向の中央位置に、有頭ピン３の頭部３ａを収納するための切欠き部６が下縁で開放するように設けられている。
【００３１】
また、上記軸部保持プレート５は、頭部収納部材４と同様の平面的大きさを有し、この頭部収納部材４の他面側に重ねて接着固定することにより、上記切欠き部６の他面側開放面を閉鎖し、前記切欠き部６に臨む部分で、この切欠き部６の幅方向中央を通る上下中心線に沿う位置に、有頭ピン３の軸部３ｂを貫通させるための軸部保持溝７が設けられている。
【００３２】
上記頭部収納部材４は、有頭ピン３の頭部３ａと同等の厚みを有する合成樹脂製シートからなる基材４ａの両面に粘着剤層４ｂと４ｃを設けた両面粘着テープを用いて形成され、一面側の粘着剤層４ｂが掲示物２に対する接着固定手段となり、掲示物取付具１の使用前は、この粘着剤層４ｂは離形紙４ｄによって保護されていると共に、他面側の粘着剤層４ｃで基材４ａに対して軸部保持プレート５が接着固定されている。
【００３３】
この頭部収納部材４に設けた切欠き部６は、有頭ピン３の頭部３ａにおける外径が納まる幅を有して下縁で開放し、その上端部側は前記頭部３ａの外径に合わせた半円弧状部６ａになっている。
【００３４】
上記軸部保持プレート５は、合成樹脂やゴムのような有頭ピン３の軸部３ｂを保持できる強度を有する薄板を用いて形成され、この軸部保持プレート５に設けた軸部保持溝７は、該軸部保持プレート５の下縁で開放して上方に延び、貫通させた軸部３ｂの上下方向への強制移動を許容できると共に、上端の位置で有頭ピン３を定位置に保持するようになっている。
【００３５】
図示の場合、上記軸部保持溝７は、上半部７ａが有頭ピン３の軸部３ｂの外径よりも少し狭い幅で上下方向に直線状となり、上端の位置で保持した前記軸部３ｂが頭部収納部材４に設けた切欠き部６の上部半円弧状部６ａと同軸心の配置になるよう上端部の位置が設定され、また、下半部７ｂは、その両側縁が上半部７ａの下端から両側へ下部広がりに開放する傾斜縁になり、下方から上方へ移動させた軸部３ｂを中央部へ誘導することで上半部７ａに貫通状態で侵入しやすくしている。
【００３６】
このように、頭部収納部材４に設けた切欠き部６の上部半円弧状部６ａと軸部保持溝７の上端部の位置関係を、有頭ピン３の頭部３ａと軸部３ｂに関連づけて設定することにより、有頭ピン３を壁面ａに突き刺し固定したとき、頭部収納部材４が頭部３ａの上に載り、また、軸部保持プレート５が軸部３ｂの上に載ることになり、従って、掲示物２の重量は、掲示物取付具１を介して有頭ピン３で安定よく支持することができることになる。
【００３７】
なお、軸部保持プレート５に設けた軸部保持溝７は、上半部７ａの全長を有頭ピン３の軸部３ｂの外径よりも少し狭い幅に設定し、軸部３ｂが直角に貫通する部分の両側縁が押し広げられることで、軸部保持プレート５の持つ反発弾性で、軸部３ｂを上下に強制移動が可能な状態で弾力的に保持するようにした例を示したが、このような構造に限定されるものではなく、例えば、軸部保持溝７の上端部だけを軸部３ｂが弾力的に納まる狭窄部にしたり、溝の途中に屈曲部を設けて軸部３ｂが下降しないようにする等、軸部保持溝７の上端位置に有頭ピン３の軸部３ｂを保持することができるものであればよい。
【００３８】
この発明の掲示物取付具１は、上記のような構成であり、頭部収納部材４の一面側に設けた粘着剤層４ｂから離形紙４ｄを剥がし、露出した前記粘着剤層４ｂによって、掲示物２の背面で壁面ａに対して固定したい位置に掲示物取付具１を貼り付け固定する。
【００３９】
上記掲示物取付具１は、図１のように軸部保持溝７が垂直の配置になるよう掲示物２に貼り付け、このようにして掲示物取付具１を貼り付けると、頭部収納部材４の切欠き部６において、軸部保持プレート５と掲示物２の対向面間に頭部３ａの厚みが納まる空間が下部で開放するように形成され、この状態で、掲示物２の背面に有頭ピン３を軸部３ｂがこの掲示物２の背面側後方に突出するように頭部３ａを重ね、頭部３ａをスライドさせながら前記切欠き部６によって形成された前記空間に下縁開放部分から侵入させる。
【００４０】
上記有頭ピン３は、頭部３ａを切欠き部６によって形成された空間に侵入させていくと、その軸部３ｂが軸部保持プレート５の軸部保持溝７に下半部７ｂから上半部７ａに侵入し、前記軸部３ｂが軸部保持溝７の上半部７ａを直角に貫通して上端側に移動するとき、軸部保持溝７を両側に押し広げることで抵抗が発生し、この移動操作中に掲示物取付具１から有頭ピン３が脱落するのを有効に防ぐことができ、前記抵抗に抗しながら軸部３ｂを軸部保持溝７の上端部の位置に達するまで侵入させると、頭部３ａは上半が切欠き部６の上端部側に位置する上部半円弧状部６ａに納まり、掲示物２と軸部保持プレート５で頭部３ａが保持されることで軸方向に移動できないようになり、軸部保持溝７の上端部で軸部３ｂが保持されることにより、有頭ピン３は掲示物２の背面に掲示物取付具１から落下しないように取付けられ、その軸部５ｂが軸部保持プレート５から掲示物２の背面側後方へ所定長さ突出した状態になる。
【００４１】
このようにして、掲示物２の背面の必要な箇所に有頭ピン３を取付けたら、掲示物２を壁面ａに対面させて貼り付けたい位置に臨ませた状態で、掲示物２の表面から有頭ピン３を壁面ａに押し込んで軸部３ｂを突き刺せば、壁面ａに対する掲示物２の固定が行え、有頭ピン３の軸部３ｂは軸部保持溝７の上端で保持されているので、壁面ａに対して掲示物２が下降動することがなく、掲示物２を最初に決めた掲示位置へ正確に位置ずれすることなく貼り付け固定することができる。
【００４２】
図３のように、掲示物２を壁面ａに固定した状態で、軸部保持プレート５が壁面ａに重なるように有頭ピン３の頭部３ａで押し付け固定され、有頭ピン３に対して掲示物取付具１は、頭部収納部材４が頭部３ａで支持され、該軸部保持プレート５が軸部３ｂで支持されるので、掲示物２の重量による負荷を、掲示物取付具１を介して有頭ピン３で安定よく支持することができる。
【００４３】
また、有頭ピン３の頭部３ａを軸部保持プレート５と掲示物２で挟み、掲示物取付具１の軸部保持溝７は、有頭ピン３の軸部３ｂが上下に移動するのに抵抗を与えるようになっているので、例えば、掲示物２の背面に吹き込んだ風がこの掲示物２を押し上げようとした場合でも、壁面ａから掲示物２が簡単に離脱するのを防ぐことができる。
【００４４】
更に、掲示物２を有頭ピン３と共に壁面ａから取り外す場合は、掲示物２の有頭ピン３による固定位置を手前に引き、掲示物取付具１を介して軸部３ｂを壁面ａから抜き取るようにすればよく、また、壁面ａに有頭ピン３を残した状態で掲示物２を取り外したい場合は、有頭ピン３の軸部３ｂに対して生じる軸部保持溝７の抵抗に打ち勝つ力で掲示物２を上方へ引き上げればよく、軸部保持溝７は上下の向きになっているので、掲示物２を単純に上方へ直線的に引き上げるだけでその取り外しが行え、例えば、掲示物２の複数箇所が固定されている場合でも、単純な上方への引き上げ動作は各固定箇所の同調動作が簡単に得られ、掲示物２の取り外しが容易に行えることになる。
【００４５】
また、上記のようにして壁面ａに残された有頭ピン３を利用して再度掲示物２を貼り付ける場合は、掲示物２の背面に固定した掲示物取付具１を元の有頭ピン３の直上に臨ませ、頭部３ａに対して切欠き部６を、軸部３ｂに対して軸部保持溝７をそれぞれ上から差し込むように、単に掲示物２を下向きに移動させるようにすればよい。
【符号の説明】
【００４６】
１      掲示物取付具
２      掲示物
３      有頭ピン
３ａ    頭部
３ｂ    軸部
４      頭部収納部材
４ａ    基材
４ｂ    粘着剤層
４ｃ    粘着剤層
４ｄ    離形紙
５      軸部保持プレート
６      切欠き部
６ａ    上部半円弧状部
７      軸部保持
７ａ    上半部
７ｂ    下半部
ａ      壁面
【図１】
2018019759.tif 000003
【図２】
2018019759.tif 000004
【図３】
2018019759.tif 000005